(57)【要約】【課題】ハンドピースを直接選択可能で操作性を向上でき、簡易な構造でハンドピースの切り換えとオンオフ操作を遠隔操作にて行う。【解決手段】超音波手術システム５１は、駆動手段を内蔵した装置本体５２と、駆動手段からの駆動信号が供給される拡張ユニット５３と、この拡張ユニット５３に設けた出力ポートに着脱自在に接続されるシザース型ハンドピース、フック型ハンドピース及びトラカール型ハンドピースと、これらハンドピースの操作部側部に着脱自在に取り付け可能な外付けハンドスイッチ５５とを備えている。外付けハンドスイッチ５５は、押下操作されることにより前記出力ポートの内何れかの出力ポートを選択でき、これらの押下操作による操作信号が前記拡張コネクタ５３の前記制御回路８６に入力されると、この制御回路８６がリレー８５を制御して、選択された出力ポートに切り換え、装置本体５２のＳＷ検知回路８２に伝達されるようになっている。【選択図】図４
2004223294.tif 000002
【特許請求の範囲】
【請求項１】
超音波振動子を内蔵し、この超音波振動子の超音波振動を利用して生体組織を処置する処置部を有する複数のハンドピースと、装置本体に設けられ、前記超音波振動子を駆動する駆動手段と、前記装置本体に設けられ、操作信号を検知するスイッチ検知手段とを備えた超音波手術システムにおいて、
前記複数のハンドピースに着脱自在に取り付けられるハンドスイッチと、
前記複数のハンドピースの内、使用するハンドピースを選択し、かつこの選択したハンドピースの起動及び停止を操作する前記ハンドスイッチに設けられた操作スイッチと、
を備えたことを特徴とする超音波手術システム。
【請求項２】
前記複数のハンドピースのコネクタを接続する複数のコネクタ部と、
前記複数のハンドピースに着脱自在に取り付けられるハンドスイッチのコネクタを接続する複数のハンドスイッチのコネクタ部と、
前記ハンドスイッチに設けられた操作スイッチの操作によって選択したハンドピースと前記駆動手段とを接続する接続手段と、
を設けた拡張ユニットを具備したことを特徴とする請求項１に記載の超音波手術システム。
【請求項３】
前記ハンドスイッチに設けられた操作スイッチは、使用するハンドピース選択機能と、選択したハンドピースのオンオフ機能とを有することを特徴とする請求項１に記載の超音波手術システム。
【請求項４】
前記ハンドスイッチに設けられた操作スイッチは、操作部を二つ有し、この二つの操作部を同時に操作したときは選択機能を果たし、一方を操作するときはオン又はオフ機能を果たすことを特徴とする請求項１に記載の超音波手術システム。
【発明の詳細な説明】
【技術分野】
【０００１】
本発明は、複数のハンドピースを備えた超音波手術システムに関する。
【背景技術】
【０００２】
従来より電気メス等にかわる外科用手術装置として、例えば特開平９−３８０９８号公報に記載されているように、超音波メス装置や超音波トラカール装置などの超音波を利用した各種の手術装置が提案され、広く普及している。  
前記手術装置は、超音波振動子を内蔵したハンドピースを装置本体に取り付け、この装置本体から出力した駆動信号により前記超音波振動子で超音波振動を発生させ、この発生した超音波振動をハンドピース先端側に設けた処置部に伝達して、この処置部を処置対象部位に押し当てて生体組織を処置するようになっている。また、このような手術装置が普及するにつれて、使用できるハンドピースの種類も多くなってきた。
【０００３】
そこで、手術に適切な複数のハンドピースを手術装置に接続可能とすれば、一度の外科手術の中で様々なハンドピースを使用可能となるが、この場合接続した複数のハンドピースを切り換えるハンドピース切換手段が必要となる。
【特許文献１】特開平９−３８０９８号公報
【発明の開示】
【発明が解決しようとする課題】
【０００４】
しかしながら、上記上述したハンドピース切換手段を装置表面例えばフロントパネルに設けるとすると、その装置は手術室における不潔域に設けられることになり、実際に手術を行っている術者は操作することができず、看護婦等に操作してもらう必要があり、煩雑になる虞れがある。
【０００５】
本発明は、これらの事情に鑑みてなされたものであり、手術を行っている術者が使用するハンドピースを直接選択できて操作性を向上でき、且つ簡易な構造でハンドピースの切り換えとオンオフ操作を遠隔操作にて行うことを可能とした超音波手術システムを提供することを目的とする。
【課題を解決するための手段】
【０００６】
前記目的を達成するため本発明による超音波手術システムは、超音波振動子を内蔵し、この超音波振動子の超音波振動を利用して生体組織を処置する処置部を有する複数のハンドピースと、装置本体に設けられ、前記超音波振動子を駆動する駆動手段と、前記装置本体に設けられ、操作信号を検知するスイッチ検知手段とを備えた超音波手術システムにおいて、
前記複数のハンドピースに着脱自在に取り付けられるハンドスイッチと、前記複数のハンドピースの内、使用するハンドピースを選択し、かつこの選択したハンドピースの起動及び停止を操作する前記ハンドスイッチに設けられた操作スイッチと、を備えたことを特徴とする。
【発明の効果】
【０００７】
本発明によれば、手術を行っている術者が使用するハンドピースを直接選択できて操作性を向上でき、且つ簡易な構造でハンドピースの切り換えとオンオフ操作を遠隔操作にて行うことができる効果を有する。
【発明を実施するための最良の形態】
【０００８】
以下、図面を参照して本発明の実施の形態を説明する。
【実施例１】
【０００９】
図１ないし図３は本発明の実施例１に係り、図１は本発明の実施例１に係る超音波手術システムの概略構成を示す説明図、図２は図１のシザース型ハンドピースと選択的に使用される内蔵型ハンドスイッチを有するハンドピースを示す外観図、図３は図１の回路ブロック図である。
【００１０】
本実施例の超音波手術システム１は、駆動信号を発生する後述の駆動手段を内蔵した装置本体２と、この装置本体２に着脱自在に接続され、後述の超音波振動子を内蔵したシザース型ハンドピース３Ａと、このシザース型ハンドピース３Ａの沿うサブ側部に着脱自在に取り付け可能な外付けハンドスイッチ４と、前記装置本体２に着脱自在に接続され、前記ハンドスイッチ４と選択的に押下操作されるフットスイッチ５とから主に構成される。
【００１１】
前記装置本体２のフロントパネル６には、電源スイッチ７と動作状態を示す表示パネル８と、前記シザース型ハンドピース３Ａと接続するハンドピースコネクタ９と、前記外付けハンドスイッチ４を接続するハンドスイッチコネクタ１０とが設けられている。尚、装置本体２のリヤパネル（不図示）には、前記フットスイッチ５のフットスイッチプラグ５ａを着脱自在に接続可能なフットスイッチコネクタ５ｂ（図３参照）が設けられている。
【００１２】
前記シザース型ハンドピース３Ａは、細長いシース１１ａと、このシース１１ａの基端部に連結された手元側の操作部１２ａと、このシース１１ａの先端部に配設された処置部１３ａとからなり、装置本体２のハンドピースコネクタ９に接続するハンドピースプラグ１４ａを有している。
【００１３】
前記シザース型ハンドピース３Ａには、超音波振動を発生する後述の超音波振動子と、この超音波振動子からの超音波振動を処置部１３ａに伝達するプローブ１５ａとが内蔵されている。前記処置部１３ａには、シース１１ａの先端部に回動自在に支持された把持部１６ａが設けられていて、前記プローブ１５ａの先端部に対して接離可能となっている。前記操作部１２ａには、固定ハンドル１７ａと可動ハンドル１８ａとが設けられていて、固定ハンドル１７ａに対して可動ハンドル１８ａを開閉動作することにより、処置部１３ａの把持部１６ａをプローブ１５ａの先端部に対して接離させることができるようになっている。この場合、可動ハンドル１８ａを閉操作するに伴い把持部１６ａをプローブ１５ａの先端側にむけて閉じる方向に回動させ、この把持部１６ａとプローブ１５ａ先端との間で例えば人体内の血管等の生体組織を把持することができるようになっている。  
そして、この状態でシザース型ハンドピース３Ａ内の超音波振動子を駆動することによって、プローブ１５ａと把持部１６ａとの間の生体組織に超音波による凝固切開処置を施すことができるようになっている。
【００１４】
前記外付けハンドスイッチ４は、前記シザース型ハンドピース３Ａの手元側の操作部１２ａ部分に着脱可能に取り付けるようになっている。このハンドスイッチ４は、例えば２つのスイッチＡ、Ｂを備えており、基端側には前記装置本体２のハンドスイッチコネクタ１０に接続するハンドスイッチプラグ１９を有している。
【００１５】
また、前記装置本体２のハンドスイッチコネクタ９には、図２に示す他のシザース型ハンドピース３Ｂが前記シザース型ハンドピース３Ａと選択的に着脱自在に接続されるようになっている。このシザース型ハンドピース３Ｂは、手元側の操作部１２ｂ部分にハンドスイッチを内蔵した内蔵型ハンドスイッチ２０を設けていて、この内蔵型ハンドスイッチ２０の信号線がハンドピースプラグ１４ｂに含まれていること以外はシザース型ハンドピース３Ａと同様な構成である。
【００１６】
本実施例では、前記外付けハンドスイッチ４または内蔵型ハンドスイッチ２０の操作信号に基づき、前記ハンドピースコネクタ９の出力端に対して駆動手段からの駆動信号の出力（オンオフ）を切り換える出力切換手段を設けるように構成している。尚、装置本体２の複数のハンドピースコネクタ９にシザース型ハンドピース３Ａ、３Ｂ以外のハンドピースを複数同時に接続する場合には、前記複数のハンドピースコネクタ９の出力端に対して、駆動信号の出力（オンオフ）以外に接続状態を切り換える切換手段を設けるように構成しても良い。
【００１７】
次に、図３を用いて超音波手術システム１の回路構成を説明する。  
前記装置本体２の回路構成は、前記シザース型ハンドピース３Ａ、３Ｂ等のハンドピースに内蔵された超音波振動子３１を駆動する駆動回路３２と、前記外付けハンドスイッチ４または内蔵型ハンドスイッチ２０の押下操作を検知するスイッチ検知回路（以下、ＳＷ検知回路）３３と、このＳＷ検知回路３３の信号やフットスイッチ３の操作信号、或いはフロントパネル６の操作信号に基づいて、前記駆動回路３２及び前記表示パネル８を制御する制御回路３４とから主に構成される。
【００１８】
前記装置本体２のハンドピースコネクタ９には、前記シザース型ハンドピース３Ａ、３Ｂ等のハンドピースプラグ１４ａ、１４ｂが接続できるようになっている。尚、図中では、内蔵型ハンドスイッチ２０を有した前記シザース型ハンドピース３Ｂが装置本体２に接続されている。また、前記装置本体２のハンドスイッチコネクタ１０に外付けハンドスイッチ４が接続されている。  
前記ハンドピースプラグ１４ｂには、前記超音波振動子３１への駆動信号ライン３６に加えて、ハンドスイッチ用の信号ライン３７を有している。
【００１９】
一方、前記装置本体２の内部では、ハンドスイッチコネクタ９の信号ライン３７とハンドピースコネクタ９内のハンドスイッチ用の信号ライン３７とが並列に接続されており、外付けハンドスイッチ４または内蔵型ハンドスイッチ２０のどちらの信号でもＳＷ検知回路３３はハンドスイッチを押下操作したことを検知して、制御回路３４に信号を伝達し、制御回路３４で駆動回路３２を動作させることで、駆動信号の出力を制御し超音波振動子３１をオンオフするようになっている。また、制御回路３４は、ＳＷ検知回路３３からの信号により、前記表示パネル８に現在使用されているハンドピース及びハンドスイッチを表示するようになっている。
【００２０】
このように構成した超音波手術システム１を用いて、生体組織の処置対象部位に例えば、内蔵型ハンドスイッチ２０を有した前記シザース型ハンドピース３Ｂの処置部１３ａを当接させた状態で、該シザース型ハンドピース３Ｂを制御する。尚、シザース型ハンドピース３Ｂの代わりにシザース型ハンドピース３Ａを装置本体２に接続して用いても良い。
【００２１】
例えば、内蔵型ハンドスイッチ２０のＡ又はＢスイッチを押下操作することにより、内蔵型ハンドスイッチ２０の操作信号は、装置本体２のＳＷ検知回路３１に伝達され、内蔵型ハンドスイッチ２０のＡ又はＢスイッチが押されたことを検知し、その検知された操作信号に基づき、制御回路３２が駆動回路３２を制御して駆動信号の出力（オンオフ）の制御を行うと共に、制御回路３２の制御により表示パネル８にて現在使用されている内蔵型ハンドスイッチ２０を表示する。
【００２２】
ここで、手術の都合上どうしても外付けハンドスイッチ４を用いたい場合、例えば、術者がハンドピースの把持以外に手を離せないがハンドピースのオンオフ操作を看護婦等に指示して行ってもらう場合、外付けハンドスイッチ４を装置本体２に接続して、使用する。
【００２３】
そして、外付けハンドスイッチ４のＡ又はＢスイッチを押下操作することにより、外付けハンドスイッチ４の操作信号は、装置本体２のＳＷ検知回路３１に伝達され、外付けハンドスイッチ４が押されたことを検知し、その検知された操作信号に基づき、制御回路３２が駆動回路３２を制御して駆動信号の出力（オンオフ）の制御を行うと共に、制御回路３２の制御により表示パネル８にて現在使用されている外付けハンドスイッチ４を表示する。また、その逆に、予め外付けハンドスイッチ４を装置本体２に接続して使用し、内蔵型ハンドスイッチ２０の押下操作にて、駆動信号の出力（オンオフ）を行うようにしても構わない。
【００２４】
この結果、内蔵型ハンドスイッチ２０または、外付けハンドスイッチ４の何れの種類のハンドスイッチでも動作が可能であり、どのハンドスイッチを用いて駆動信号の出力（オンオフ）を行っているのかを確認することができる。  
従って、操作性を向上し、且つ簡易な構造で遠隔操作を可能と超音波手術システムを実現することができる。
【００２５】
（第２の実施の形態）
図４ないし図７は本発明の実施例２に係り、図４は本発明の実施例２に係る超音波手術システムの概略構成を示す説明図、図５は図４の回路ブロック図、図６は図２の拡張ユニットのコネクタ選択処理動作を示すフローチャート、図７はハンドスイッチの内部配線を示す説明図であり、図７（ａ）はＡ、Ｂの２つの出力スイッチを備えたハンドスイッチの内部配線を示す説明図、図７（ｂ）は同図（ａ）のＡ、Ｂの２つの出力スイッチに加えてセレクト用のスイッチが追加されているハンドスイッチの内部配線を示す説明図、図７（ｃ）は同図（ｂ）のセレクト用のスイッチのみを備えたハンドスイッチの内部配線を示す説明図である。
【００２６】
前記実施例１では、選択的に１つのハンドピースを装置本体２に着脱自在に接続し、このハンドピースの操作部側部に取り付けた外付けハンドスイッチ４または内蔵型ハンドスイッチ２０の押下操作により、ハンドピースの制御を行う超音波手術システム１を構成していたが、本実施例では、複数のハンドピースを同時に接続自在に取り付けて、外付けハンドスイッチ４または内蔵型ハンドスイッチ２０の押下操作により、用いるハンドピースを選択するように構成している。
【００２７】
図４に示すように実施例２の超音波手術システム５１は、駆動信号を発生する後述の駆動手段を内蔵した装置本体５２と、この装置本体５２に設けた駆動手段からの駆動信号が供給される拡張ユニット５３と、この拡張ユニット５３に設けた出力ポート５４ａ、５４ｂ、５４ｃに着脱自在に接続されるシザース型ハンドピース３Ａ、フック型ハンドピース３Ｃ及びトラカール型ハンドピース３Ｄと、これらハンドピースの操作部側部に着脱自在に取り付け可能な外付けハンドスイッチ５５と、このハンドスイッチ５５と選択的に押下操作されるフットスイッチ５６と、前記拡張ユニット５３に着脱自在に取り付け可能で、前記出力ポート５４ａ、５４ｂ、５４ｃを遠隔的に選択するリモートスイッチ５７とから主に構成されている。
【００２８】
尚、前記シザース型ハンドピース３Ａ、フック型ハンドピース３Ｃ及びトラカール型ハンドピース３Ｄは、ハンドピースプラグ１４ａ、１４ｃ、１４ｄを前記出力ポート５４ａ、５４ｂ、５４ｃに接続して、選択的にどれか―つのハンドピースを使えるようになっている。また、前記第１の実施の形態で説明した内蔵型ハンドスイッチ２０を内蔵したものを前記拡張ユニット５３に着脱自在に接続しても対応可能である。
【００２９】
前記装置本体５２のフロントパネル６１には、前記実施例１と同様に電源スイッチ６２と動作状態を示す表示パネル６３と、前記外付けハンドスイッチ５５を着脱自在に接続可能なハンドスイッチコネクタ６４とが設けられている。尚、前記装置本体５２のリヤパネル（不図示）には、前記フットスイッチ５６のフットスイッチプラグ５６ａを着脱自在に接続可能なフットスイッチコネクタ５６ｂ（図５参照）が設けられている。また、前記装置本体５２の出力ポート５２ａは、接続コード６５によって前記拡張ユニット５３の入力ポート５３ａに接続されるようになっていて（図５参照）、装置本体５２に設けた駆動手段からの駆動信号を出力ポート５２ａ、接続コード６５、入力ポート５３を介して供給するようになっている。
【００３０】
前記拡張ユニット５３には、前記装置本体５２のハンドスイッチコネクタ６３と同様の機能を有し、前記ハンドスイッチ５５を着脱自在に接続可能なコネクタ７１、７２、７３と、前記出力ポート５４ａ、５４ｂ、５４ｃのうち１つのポートを手動で選択可能な選択スイッチ７４、７５、７６と、選択されたハンドピース及びハンドスイッチを表音で報知するスピーカ７７と、前記リモートスイッチ５７のリモートスイッチプラグ５７ａが着脱自在に接続可能なリモートスイッチコネクタ７８（図５参照）とが設けられている。
【００３１】
本実施例では、前記外付けハンドスイッチ５５またはリモートスイッチ５７の操作信号に基づき、前記拡張ユニット５３に設けた選択手段で選択した前記拡張ユニット５３の出力ポート５４ａ、５４ｂ、５４ｃに対して、前記装置本体５２に設けた駆動手段からの駆動信号の出力（オンオフ）を選択的に切り換える出力切換手段を設けるように構成している。
【００３２】
次に、図５を用いて実施例２の超音波手術システムの回路構成を説明する。  
前記装置本体５２の回路構成は、図３で説明した装置本体２と同様な構成かつ機能を有し、駆動回路８１と、ＳＷ検知回路８２と、表示パネル８３及び制御回路８４とから主に構成される。
【００３３】
前記拡張ユニット５３の回路構成は、前記拡張ユニット５３の出力ポート５４ａ、５４ｂ、５４ｃを切り換えて信号線をつなぐリレー８５と、前記内蔵型ハンドスイッチ２０、外付けハンドスイッチ５５またはリモートスイッチ５７の操作信号に基づき、前記リレー８５を制御する制御回路８６とで主に構成される。
【００３４】
前記制御回路８６は、図示しないがラッチまたはメモリを有し、出力ポートが一旦選択された場合には、再度選択されるまで、その選択された出力ポートを記憶しているようになっている。  
尚、図中では、前記拡張ユニット５３に前記シザース型ハンドピース３Ａと、内蔵型ハンドスイッチ２０を有した前記シザース型ハンドピース３Ｂと、外付けハンドスイッチ５５と、リモートスイッチ５７とが接続されている。
【００３５】
これら内蔵型ハンドスイッチ２０、外付けハンドスイッチ５５、リモートスイッチ５７は、押下操作されることにより前記出力ポート５４ａ、５４ｂ、５４ｃの内何れかの出力ポートを選択できるようになっていて、これらの押下操作による操作信号が前記拡張コネクタ５３の前記制御回路８６に入力されると、この制御回路８６が前記リレー８５を制御して、選択された出力ポートに切り換えると共に、装置本体５２のＳＷ検知回路８２に伝達されるようになっている。
【００３６】
また、これら内蔵型ハンドスイッチ２０または、外付けハンドスイッチ５５等のハンドスイッチは、選択したハンドピースのみを使用可能とし、同じスイッチが出力オンオフの機能と選択の機能との２つの機能を持つことになり、煩雑である。そこで、ハンドスイッチのＡ及びＢスイッチを同時に押下操作することで、出力ポートを選択する信号として、別々に押された場合は、駆動信号の出力（オンオフ）を行う操作信号となるように構成する。更に具体的には、前記内蔵型ハンドスイッチ２０または、外付けハンドスイッチ５５のＡ及びＢスイッチを同時に押下操作することで、出力ポート５４ａ、５４ｂ、５４ｃのどれかを選択する信号として認識され、別々に押された場合はそれが既に選択されている出力ポートに対応したスイッチであれば、駆動信号の出力（オンオフ）を行う操作信号として伝達するように構成している。
【００３７】
そして、出力ポート５４ａ、５４ｂ、５４ｃのどれかが選択された場合には、制御回路８６の制御にてどの出力ポートが選択されたのかを表示パネル８にて表示するが、その表示パネルを術者が見辛い位置にいる場合に、実際にどの出力ポートが選択されたのかを確認する手段として、音の種類又は音声によって、例えば出力ポート５４ａが選択されたら１度の発音、出力ポート４５ｂが選択されたら２度の発音、などの音を制御回路８６で生成してスピーカ７７を駆動し、表音するようになっている。
【００３８】
このように構成した超音波手術システム５０を前記第１の実施の形態と同様に例えば、内蔵型ハンドスイッチ２０を有した前記シザース型ハンドピース３Ｂの処置部１３ｂを生体組織の処置対象部位に当接させた状態で、超音波処置を施す。  
そして、内蔵型ハンドスイッチ２０、外付けハンドスイッチ５５またはリモートスイッチ５７のスイッチを押下操作して出力ポートを選択する。
【００３９】
ここで、図６を用いて、内蔵型ハンドスイッチ２０または外付けハンドスイッチ５５による出力ポートの選択処理を説明する。  
例えば、内蔵型ハンドスイッチ２０のスイッチＡ（ＳＷ−Ａ）及びスイッチＢ（ＳＷ−Ｂ）を同時に押下操作すると、その信号が拡張ユニット５３の制御回路８６へ入力され、スイッチＡ（ＳＷ−Ａ）及びスイッチＢ（ＳＷ−Ｂ）を同時に押したことを検知（ステップＳ１）し、出力ポート５４ａを選択する選択制御を行う（ステップＳ２）。  
この選択制御では、出力ポート５４ａを選択する信号として装置本体５２のＳＷ検知回路８２に伝達すると共に、前記リレー８５を制御して選択された出力ポート５４ａに対応して切り換える。  
そして、装置本体５２の制御回路３４の制御によって前記表示パネル８３に現在使用されているシザース型ハンドピース３Ｂ及び内蔵型ハンドスイッチ２０を表示すると共に、前記拡張ユニット５３の制御回路８６の制御によって前記スピーカ７７の表音により選択された出力ポート５４ａを報知する（ステップＳ３）。
【００４０】
また、上記ハンドスイッチのスイッチＡ（ＳＷ−Ａ）及びスイッチＢ（ＳＷ−Ｂ）を同時に押下操作することなく、拡張ユニット５３に設けられたフロントパネル７１の選択スイッチ（選択ＳＷ）７４を押下操作すると、その信号が拡張ユニット５３の制御回路８６へ入力され、選択スイッチ（選択ＳＷ）７４の押下操作を検知し（ステップＳ４）、以下同様に出力ポート５４ａの選択制御（ステップＳ２）を行い、選択した出力ポート５４ａの報知（ステップＳ３）が行われる。
【００４１】
更に、リモートスイッチ（リモートＳＷ）５７の出力ポート５４ａに対応する選択スイッチを押下操作すると、上記拡張ユニット５３の選択スイッチ７４と同様に、選択スイッチの押下操作を検知し（ステップＳ５）、以下同様に出力ポートの選択制御（ステップＳ２）、選択した出力ポートの報知（ステップＳ３）が行われる。
【００４２】
一方、内蔵型ハンドスイッチ２０のスイッチＡ（ＳＷ−Ａ）またはスイッチＢ（ＳＷ−Ｂ）を個別に押下操作すると、その信号が拡張ユニット５３の制御回路８６へ入力され、スイッチＡ（ＳＷ−Ａ）またはスイッチＢ（ＳＷ−Ｂ）を個別に押したことを検知し（ステップＳ６またはステップＳ７）、この押されたスイッチＡ（ＳＷ−Ａ）またはスイッチＢ（ＳＷ−Ｂ）が既に選択されている出力ポート５４ａに対応したスイッチであれば（ステップＳ８）、この押されたスイッチＡ（ＳＷ−Ａ）またはスイッチＢ（ＳＷ−Ｂ）の信号を装置本体５２に伝達する（ステップＳ９）。  
そして、出力ポート５４ａが選択されると、前記装置本体５２に設けられた駆動回路８１からの駆動信号が選択された出力ポート５４ａを介してシザース型ハンドピース３Ｂに伝達され、超音波処置を行うことができる。
【００４３】
この結果、手術を行っている術者が使用したいハンドピースを選択することで、操作性が向上して手術に集中できる。また、内蔵型ハンドスイッチ２０の操作によってハンドピースを選択する場合に、ハンドスイッチ線を増やすことなく、出力をオンオフする機能と、出力ポートを選択する機能との２つを分けることができるので、操作性が良い。更に、出力ポートの切換え結果を装置本体５２の表示パネル６３で見ることができない位置にいても、表音にて実際にどの出力ポートが選択されたのかを確認することができるため操作性が向上する。
【００４４】
ところで、このような超音波手術システムに用いられるハンドスイッチは、図７に示すような内部配線となっている。  
図７（ａ）に示すハンドスイッチ１０１は、出力オン、出力オフ用として、スイッチＡとスイッチＢとで構成されている。  
一方、このハンドスイッチ１０１に対して、図７（ｂ）に示すハンドスイッチ１０２は、スイッチＡ及びスイッチＢの２つの出力スイッチに加えて、セレクト用のスイッチＳが追加されているタイプであり、スイッチＳを押すとスイッチＡ及びスイッチＢを同時にオンするように構成されている。これにより、スイッチＡ及びスイッチＢの同時押しで出力ポートの選択スイッチとして機能するようになっている。
【００４５】
また、これらのハンドスイッチ１０１、１０２は、同じ１つのハンドスイッチで出力オンオフの機能と選択の機能との２つの機能を持つため、ハンドピースによっては、出力オン、出力オフを内蔵型ハンドスイッチ２０で行い、出力ポートの選択だけはフットスイッチ等別のスイッチで行いたい場合がある。そのため、図７（ｃ）に示すように、セレクト用スイッチＳのみ設けたハンドスイッチ１０３を用いると有効である。
【００４６】
尚、本発明の超音波手術システムは、上記した実施例にのみ限定されるものではなく、本発明の要旨を逸脱しない範囲で種々変形実施可能である。
【００４７】
［付記］
（付記項１）  本体部と、複数のハンドピースを接続自在に前記本体部に設けたハンドピース接続部と、このハンドピース接続部に接続されたハンドピースに対して駆動信号を供給するよう前記本体部に設けた駆動手段と、を備えた超音波手術システムにおいて、
前記本体部に設けた前記駆動手段を遠隔的に操作自在な遠隔操作手段と、
前記遠隔操作手段の操作信号に基づき、前記ハンドピース接続部に対して前記駆動信号の出力を切り換える出力切換手段と、
を具備したことを特徴とする超音波手術システム。
【００４８】
（付記項２）  ハンドピースに対して駆動信号を供給する駆動信号出力手段を備えた駆動信号発生装置と、
前記駆動信号発生装置の駆動信号出力部に対し着脱自在に接続され、前記駆動信号出力手段から発生された駆動信号を複数の出力端に選択的に出力する選択手段を備えた拡張ユニットと、
前記駆動信号発生装置に設けた駆動信号出力手段を前記拡張ユニットを介して遠隔的に操作可能な遠隔操作手段と、
前記遠隔操作手段の操作信号に基づき、前記拡張ユニットに入力した駆動信号を前記複数の出力端に対して選択的に切り替える切替手段と
を具備したことを特徴とする超音波手術システム。
【００４９】
（付記項３）  前記ハンドピース接続部は、前記装置本体に設けられていることを特徴とする付記項１に記載の超音波手術システム。
【００５０】
（付記項４）  前記遠隔操作手段は、前記ハンドピースに着脱自在に取り付け可能なハンドスイッチであることを特徴とする付記項１または２に記載の超音波手術システム。
【００５１】
（付記項５）  前記遠隔操作手段は、前記ハンドピースに内蔵され、前記ハンドピースの外周部に露出したハンドスイッチであることを特徴とする付記項１または２に記載の超音波手術システム。
【００５２】
（付記項６）  前記遠隔操作手段は、前記装置本体または前記拡張ユニットに着脱自在に接続可能なハンドスイッチであることを特徴とする付記項１または２に記載の超音波手術システム。
【００５３】
（付記項７）  前記拡張ユニットに設けられた前記選択手段による選択動作の際に、表音によって選択されたポートを報知する報知手段を設けたことを特徴とする付記項２に記載の超音波手術システム。
【図面の簡単な説明】
【００５４】
【図１】本発明の実施例１に係る超音波手術システムの概略構成を示す説明図
【図２】図１のシザース型ハンドピースと選択的に使用される内蔵型ハンドスイッチを有するハンドピースを示す外観図
【図３】図１の回路ブロック図
【図４】本発明の実施例２に係る超音波手術システムの概略構成を示す説明図
【図５】図４の回路ブロック図
【図６】図２の拡張ユニットのコネクタ選択処理動作を示すフローチャート
【図７】ハンドスイッチの内部配線を示す説明図
【符号の説明】
【００５５】
５１        …超音波手術システム
５２        …装置本体
３Ａ、３Ｃ、３Ｄ  …ハンドピース
５３        …拡張ユニット
５５        …ハンドスイッチ
８１        …駆動回路
８２        …ＳＷ検知回路（スイッチ検知回路）
代理人    弁理士    伊藤  進
【図１】
2004223294.tif 000003
【図２】
2004223294.tif 000004
【図３】
2004223294.tif 000005
【図４】
2004223294.tif 000006
【図５】
2004223294.tif 000007
【図６】
2004223294.tif 000008
【図７】
2004223294.tif 000009